(57)【要約】      （修正有）【課題】手摺部分を手摺支持部と透明樹脂手摺に分離した、システム手摺の提供。【解決手段】透明性、耐熱性、弾力性のある、透明又は半透明素材で加工成型された、手摺部（２）を、アルミ等の鋼材で引き抜き加工成型された、手摺支持部（１）に取り付け、手摺支持（１）に、手摺取り付け補助プレート（６）がセットされた、手摺取り付けアーム部（３）を挿入し、壁面取り付け位置に位置合わせし、壁面固定ボルト部（８）で固定し、両端を手摺ズレ防止ゴムパッキン部（１１）付き、手摺カバー蓋（１２）を取り付け、固定ボルト部（１５）で締め付け固定し、さらに壁面（９）に壁面固定取ボルト部（８）で固定し、手摺支持部（１）と手摺部（２）の間にドーム状の空間が有り、パネル保持部（４）スペースに、発光シート、カラーシート、突板などが容易に取り付けられるようにした、システム手摺。【選択図】  図２
2006342639.tif 000002
【特許請求の範囲】
【請求項１】
手摺部を雄型と雌型の二重構造をなし、その一方を固定し他方を嵌合できる形状であり、雄型を透明物質で作成した形状を特徴とする、システム手摺。
【請求項２】
手摺部（２）の略円筒形状を透明にし、手摺支持部（１）の切断面が円の一部をなすパネル保持部（４）にＥＬシートライト、蓄光物、ファイバー、光パイプ、突板、カラーシート等が、取り付られることを特徴とする、請求項１に記載のシステム手摺。
【発明の詳細な説明】
【発明の詳細な説明】
【技術分野】
【０００１】  本発明は、手摺支持部上面に、透明又は半透明素材の手摺を取り付け、手摺支持部底面に、手摺取り付けアームを取り付け、ゴムパッキン付きの手摺押えカバーで固定し用を成す、システム手摺に関するものである。
【背景技術】
【０００２】  従来、、次のようなものがある。
手摺支持部と手摺部分は一体形状で、素材が鋼材で丸パイプ、角パイプのものが有り、取り付けアームと溶接で固定し、壁面にネジ固定している。【０００３】  また、短いサイズの場合、押えカバーと取り付けアームが一体で、手摺の両端に取り付け固定している。【０００４】  また、木製の手摺の場合、取り付けアームと、木ネジで固定している。
【発明が解決しようとする課題】
【０００５】  従来の手摺にあっては、大勢の人が上り降りする階段手摺は、鋼材手摺がほとんどで、手摺部と取り付けアーム部は溶接で固定され、溶接部分が視覚に入る為、均一な溶接を要求され、高度な技術力、ロボット溶接など高額な設備、コストがかかるという問題点があった。
【０００６】  また木製の手摺は、木ネジで固定されているため、強度が弱く、個人家屋か少人数の、上り降りする階段でしか利用されない、という問題点があった。
【０００７】  また従来の手摺にあっては、手摺の機能のみで、インテリア性、ファッション性、利益誘導性に欠る、という問題点があった。
【０００８】  また停電や災害時、目測となる配慮に欠ける、という問題点があった。
【０００９】  本発明は、各種パーツからなり、脱着可能なシステム手摺の形状をなし、パネル保持部に用途に合わせ、ＥＬシートライト、蓄光物、光ファイバー、光パイプ、突板、カラーシートに広告、案内メッセージの表現ができ、取り外しが容易なシステム手摺。
【課題を解決するための手段】
【００１０】  上記目的を達成するために、本発明のシステム手摺においては、正面手摺支持部のパネル保持部に、お客様のニーズに合わせたパネルを挿入し、手摺取り付けアームに固定し、透明又は半透明素材の手摺を取り付け、手摺カバーをネジ止めし固定し、手摺の外観斜視角度からも、パネルのメッセージが目視でき、パネル交換も容易な、システム手摺である。
【発明を実施するための最良の形態】
【００１１】  図２において、透明性、耐熱性、弾力性のある、透明又は半透明素材で加工成型された、手摺部（２）を、アルミ等の鋼材で引き抜き加工成型された、手摺支持部（１）に取り付け、図９と成し、手摺支持（１）に、手摺取り付け補助プレート（６）がセットされた、手摺取り付けアーム部（３）を挿入し、壁面取り付け位置に位置合わせし、壁面固定ボルト部（８）で固定し、両端を手摺ズレ防止ゴムパッキン部（１１）付き、手摺カバー蓋（１２）を取り付け、固定ボルト部（１５）で締め付け固定し、さらに壁面（９）に壁面固定取ボルト部（８）で固定し、目的を達する。【００１２】  手摺支持部（１）と手摺部（２）の間にドーム状の空間が有り、パネル保持部（４）スペースに、発光シート、カラーシート、突板などが容易に取り付けられるようにした、システム手摺。【００１３】  図２に於いて、丸パイプ形状で、既存の手摺と互換性を持たせ、図１０のように要所のみ、システム手摺（１０）と既存手摺（１６）を容易に接続可能にしたシステム手摺、ただし形状は丸形状に限定されない。
【発明の効果】
【００１４】  手摺支持部の素材がアルミ等の鋼材から成り、お客様のニーズに合わせ着色してもかまわない。
【００１５】  構造がシンプルなので、目的に合致した形状を幅広く、選択することが出来る
【００１６】  手摺支持部はアルミなどの鋼材で、金型による引き抜き製法で、高精度で大量生産ができ、低コスト化が可能である。
【００１７】  手摺部分は、金型による押し出し成形加工で製造され、素材はガラス等の透明物質で成型され、たとえばアクリル樹脂、ポリカーボネート樹脂、ＡＢＳ樹脂など、お客様のニーズに合わせ選択が可能で高精度で、大量生産ができ、低コスト化が可能である。
【００１８】  取り付けアーム部分は、レーザー加工で生産ができ、デザインがフリーダムにでき、短納期ローコスト化が可能である。
【００１９】  手摺部分が透明又は半透明素材からなり、手摺支持部の保持部にドーム形状のスペースが有り、広告表現、色別表現、明かり取りができ、斜視角度からも透視が可能である。
【００２０】  各パーツがボルトの締め付けのみで固定でき、短時間で取り付け、取り外しができ、廃棄時も素材別に分別が容易である。
【００２１】  図２において、手摺カバー蓋取り付けネジ下穴にスリット溝部を設けることにより、単一金型となり、金型代を５０％コストカットができる。
【００２２】  図２において、スリット溝部を塞ぎネジ下穴を、貫通穴にすることにより、スリット溝部底面部分の肉厚を薄くでき、取り付けアーム部分のスペースが広がり強度維持ができ、取り付けが更に容易になる、メリットがあるが金型構造が複雑になり型代がかさむ、デメリットが発生するので、数量及びお客様のニーズに合わせ選択することができる。
【００２３】  システム手摺はパイプ形状で、すでに設置されているパイプ形状手摺と互換性があり、部分のみ交換も容易である。
【００２４】  手摺支持部の上面スリット溝部及び、底面略半円部分に、ＥＬシートライト等の配線コードがシンプルに収納できる。
【００２５】  システム手摺を１００ｍｍぐらいの長さに、ショートカットし、廊下壁面に、取り付け金具に引っ掛けて、夜間の明かり取りなどにも、活用が可能である。
【図面の簡単な説明】
【図１】システム手摺の側面図
【図２】システム手摺のＡ−Ａ断面正面図
【図３】透明手摺部斜視図
【図４】手摺支持部斜視図
【図５】手摺取り付けアームに補助プレートを装着した、斜視図
【図６】手摺カバー蓋斜視図
【図７】システム手摺に手摺カバー蓋を装着したＢ−Ｂ断面側面図と手摺カバー蓋正面図
【図８】手摺支持部の斜視図
【図９】手摺支持部に透明樹脂手摺部が装着された、状態を示す斜視図
【図１０】階段壁面にシステム手摺が、装着された状態を示す斜視図
【符号の説明】
１  手摺支持部
２  手摺部
３  手摺取り付けアーム部
４  パネル保時部
５  スリット溝付き手摺カバー蓋取り付け、タッピングボルト下穴部
６  手摺取り付けアーム部補助プレート
７  手摺埃侵入防止パネル挿入部
８  壁面固定ボルト部
９  壁面
１０  システム手摺部
１１  手摺ズレ防止ゴムパッキン部
１２  手摺カバー蓋部
１３  壁面取り付けボルト貫通穴部
１４  手摺支持部と手摺取り付けアーム部固定ボルト雌ネジ部
１５  固定ボルト部
１６  パネル保時部に挿入した、パネルシート部
１７  既存の手摺部
【図１】
2006342639.tif 000003
【図２】
2006342639.tif 000004
【図３】
2006342639.tif 000005
【図４】
2006342639.tif 000006
【図５】
2006342639.tif 000007
【図６】
2006342639.tif 000008
【図７】
2006342639.tif 000009
【図８】
2006342639.tif 000010
【図９】
2006342639.tif 000011
【図１０】
2006342639.tif 000012